(57)【特許請求の範囲】
【請求項１】
支柱および前記支柱に形成されたフランジを有する梁に、支持部材を用いて型枠を支持する型枠支持具であって、
支持部材の上面の一部がフランジの下面に圧接されるように前記支持部材を下から支持するとともに、前記支持部材の上面の他部分に載置された型枠を前記支持部材を介して支持する支持台と、
前記支持台に固定して設けられているとともに前記支持部材が前記フランジに圧接された状態において梁の一部分に圧接される圧接体と、
前記支持台に着脱可能に取り付けられるとともに前記フランジに形成された孔に挿通されて先端部分が前記フランジの上面側に突出するように前記梁に取り付けられて、前記フランジに前記支持台を支持するように連結する連結具と、
前記連結具における前記フランジの上面側から突出した先端部分を被覆しながら、前記先端部分に着脱可能に取り付けられる被覆部材と
を備え、前記被覆部材を前記連結具の先端部分に取り付けることにより前記梁に固定されることを特徴とする型枠支持具。
【請求項２】
前記被覆部材が、前記フランジの上面から突出した前記連結具の先端部分に螺合されることにより、前記梁に固定されることを特徴とする請求項１に記載の型枠支持具。
【請求項３】
前記支持台に貫通して固着され前記連結具が挿通される筒状の保持体と、前記支持台の下側に設けられているとともに前記保持体に連結されている補強体とを有することを特徴とする請求項１または請求項２に記載の型枠支持具。
【請求項４】
前記被覆部材と前記フランジとの間に封止材が介装されることを特徴とする請求項１から請求項３のいずれか１項に記載の型枠支持具。
【請求項５】
前記支持台における両側縁部が下方に屈曲されていることを特徴とする請求項１から請求項４のいずれか１項に記載の型枠支持具。
【請求項６】
前記圧接体が、前記梁の前記フランジに圧接されることを特徴とする請求項１から請求項５のいずれか１項に記載の型枠支持具。
【請求項７】
前記圧接体が、前記梁の前記支柱に圧接されることを特徴とする請求項１から請求項５のいずれか１項に記載の型枠支持具。
【請求項８】
支柱および前記支柱の上部にフランジを有する梁に型枠支持具を用いて支持部材を固定し、前記支持部材の上面に型枠を載置して形成したスラブの形成予定領域にコンクリートを打設し、前記コンクリートを固化させてスラブを形成するスラブ施工方法であって、
請求項１から請求項７の何れか１項に記載の型枠支持具を用いて、前記支持台の上面に載置された前記支持部材の上面の一部を前記フランジの下面に当接させながら、前記連結具の先端部分を前記フランジの孔に挿通させ、前記連結具における前記フランジの上面に突出した先端部分に前記被覆部材を着脱可能に取り付けることにより、前記支持台によって前記支持部材を前記フランジに圧接させるとともに前記圧接体を前記梁の一部分に圧接させて前記型枠支持具を前記梁に固定し、前記支持部材の上面の他部分に前記型枠を載置してスラブを形成した後に、前記型枠支持具における前記梁におけるフランジの下方に位置する各部材を前記梁から取り外すことを特徴とする型枠支持具を用いたスラブ施工方法。
【発明の詳細な説明】
【技術分野】
【０００１】
本発明は、建築物の床や天井として機能するコンクリートスラブを施工する際に用いられる型枠支持具および型枠支持具を用いたスラブ施工方法に関する。
【背景技術】
【０００２】
従来より鉄骨構造建築物の床や天井等として機能するコンクリートスラブの施工方法として、コンクリートスラブの形成予定領域にデッキプレートやフラットデッキ等の鋼製型枠を配置し、この型枠によって形成された前記予定領域にコンクリートを流し込んで（打設して）固化させる方法が多用されている。この鋼製型枠は、型枠支持のために既設の下層階から型枠の配置位置に到達するように立設される支柱（支保工）を不要とすることができ、また梁間のスパンが長い場合であっても支保工の数を大幅に減らすことが可能であり、工期短縮と経費節減を図ることができる。一方、この鋼製型枠を鉄骨構造などＨ型鋼等の梁を有する建造物に適用する場合には、崩落防止の観点から型枠を梁に溶接して肯定することが一般的であり、コンクリートが固まりスラブ形成が済んだ後も、フライトデッキ等の鋼製型枠を取り外すことはできず、建造物の一部としてそのまま取り残されることになる。このため、鋼製型枠の資材等の再利用ができず、また残った鋼製型枠の発錆による外観不良を生ずる等の問題もあった。
【０００３】
そこで、上下に対向して配置される一対のフランジを有するＨ型鋼等によって構成される梁の当該一対のフランジに取り付けた型枠支持具をもって型枠を支持し、この型枠によって形成されたスラブ形成予定領域にコンクリートを流し込んで固化させることが行われている（特許文献1）。この特許文献１に記載の型枠支持具（デッキプレート支持具）は、梁のフランジに固定される固定手段が一対の挟持部を有し側面視がコ字状に形成されており、コ字状の内部にフランジの端縁を挿入して梁に固定されるようになっている。そして、フランジの下側に配置される挟持部の下面に、上部にデッキプレート載置面が設けられた支持手段が着脱可能に取り付けられるようになっている。特許文献１に記載の型枠支持具によれば、支持手段のデッキプレート載置面に載置されたデッキプレートの上面にコンクリートを流し込んだ際に、支持手段がコンクリートに接触することはなく、かつデッキプレートの下面側にコンクリートが回り込むことがないので、固化したコンクリート中に支持手段とデッキプレートが取り込まれるおそれがない。このため、固化したコンクリートからデッキプレートを容易に分離して回収することができ、スラブの施工後に、デッキプレートを傷の少ない状態で回収して再利用することができる。
【先行技術文献】
【特許文献】
【０００４】
【特許文献１】国際公開第２０１４／１０３３９２号パンフレット
【発明の概要】
【発明が解決しようとする課題】
【０００５】
しかし、前記特許文献１に記載のデッキプレート支持具によれば、固定手段はコ字状の内部にフランジの端縁を挿入して梁に固定されるので、デッキプレートの上面にコンクリートを流し込んだ際に、フランジより上方に位置する固定手段の一部がコンクリートに埋め込まれてしまい、固化したコンクリートから固定手段を取り外すことができなかった。このため、コンクリートが固化した後、デッキプレートや、さらには角材等の支持手段を回収した後にも、フランジの下方に固定手段が残ってしまっていた。また、前記特許文献１に記載のデッキプレート支持具によれば、梁に対する固定が不安定であり、支持手段のデッキプレート載置面にデッキプレートを載置して、コンクリートを流し込んだ際に、デッキプレート支持具がずれてしまうおそれがあった。
【０００６】
本発明はこれらの点に鑑みてなされたものであり、コンクリートが固化した後に型枠および支持手段を回収する際に、フランジの下方に位置する各部材を取り外して回収することができるとともに、容易にかつ安定して梁に固定することが可能な型枠支持具および型枠支持具を用いたスラブ施工方法を提供することを目的とする。
【課題を解決するための手段】
【０００７】
前記目的を達成するため、本発明に係る型枠支持具の特徴は、支柱および前記支柱に形成されたフランジを有する梁に、支持部材を用いて型枠を支持する型枠支持具であって、支持部材の上面の一部がフランジの下面に圧接されるように前記支持部材を下から支持するとともに、前記支持部材の上面の他部分に載置された型枠を前記支持部材を介して支持する支持台と、前記支持台に固定して設けられているとともに前記支持部材が前記フランジに圧接された状態において梁の一部分に圧接される圧接体と、前記支持台に着脱可能に取り付けられるとともに前記フランジに形成された孔に挿通されて先端部分が前記フランジの上面側に突出するように前記梁に取り付けられて、前記フランジに前記支持台を支持するように連結する連結具と、前記連結具における前記フランジの上面側から突出した先端部分を被覆しながら、前記先端部分に着脱可能に取り付けられる被覆部材とを備え、前記被覆部材を前記連結具の先端部分に取り付けることにより前記梁に固定される点にある。
【０００８】
本発明に係る型枠支持具によれば、フランジの孔に挿通された連結具の先端部分に、フランジの上方から被覆部材を被覆させながら着脱可能に取り付けることによって、型枠支持具が梁に固定され、コンクリートを、型枠支持具における梁におけるフランジの下方に配置される連結具や支持台に接触させることなくスラブ形成予定領域に打設することができる。このため、スラブを形成し、コンクリートが乾燥・固化した後には、連結具を被覆部材から取り外すことにより、型枠支持具における梁におけるフランジの下方に配置されている支持台や連結具を梁から取り外して回収することができる。
【０００９】
また、本発明に係る型枠支持具によれば、型枠支持具が梁に固定される際、圧接体が梁の一部に圧接されることにより、支持部材の上面に型枠が載置され、さらにはこの型枠によって形成されたスラブ形成予定領域にコンクリートを流し込まれた際に、上方から加えられる重さによって支持台が奥側にずれないように圧接体によって支持台を支持することができる。これにより、型枠支持具を梁に対して安定して固定させることができ、この型枠支持具に支持されている支持部材を介して型枠を安定して支持することができる。
【００１０】
さらに、本発明に係る型枠支持具によれば、梁の上から被覆部材を連結具の先端部分に取り付けることによって型枠支持具を梁に固定することができるので、型枠支持具の梁への取り付け作業の容易化を図ることができる。
【００１１】
また、前記本発明に係る型枠支持具において、前記被覆部材が、前記フランジの上面から突出した前記連結具の先端部分に螺合されることにより、前記梁に固定されるとよい。これにより、被覆部材を連結部材に容易かつ確実に取り付けることができ、梁への取り付け作業の容易かつ確実化を図ることができる。
【００１２】
また、前記本発明に係る型枠支持具において、前記支持台に貫通して固着され前記連結具が挿通される筒状の保持体と、前記支持台の下側に設けられているとともに前記保持体に連結されている補強体とを有するとよい。これにより、型枠支持具は、連結具を支持台に固着された保持体に挿通させることによってより安定して支持台に取り付けることができるとともに、補強体によって支持台の強度および支持台と保持体との連結強度を向上させることができ、より安定して支持部材を介して型枠を支持することができる。
【００１３】
また、前記本発明に係る型枠支持具において、前記被覆部材と前記フランジとの間に封止材が介装されるとよい。これにより、打設されたコンクリートが被覆部材とフランジとの間を介して連結具に流れ込むことを確実に防止することができ、コンクリートの乾燥・固化後、連結具を確実に被覆部材から取り外して回収することができる。
【００１４】
また、前記本発明に係る型枠支持具において、前記支持台における両側縁部が下方に屈曲されているとよい。このような構成により、支持台の強度を向上させることができる。
【００１５】
また、前記本発明に係る型枠支持具において、前記圧接体が、前記梁の前記フランジに圧接されるとよい。圧接体が梁におけるフランジに圧接されるタイプの型枠支持具は、同一寸法の型枠支持具をフランジの突出長さ寸法が異なる各梁に同様にして取り付けることが可能である。
【００１６】
さらに、前記本発明に係る型枠支持具において、前記圧接体が、前記梁の前記支柱に圧接されてもよい。圧接体が梁における支柱に圧接されるタイプの型枠支持具は、圧接体が型枠支持具の奥側に配置されている支柱に圧接されるので、上方から加えられる重さによって支持台が奥側にずれることをより確実に防止することができ、梁に対して安定して固定されることとなる。
【００１７】
また、本発明に係る型枠支持具を用いたスラブ施工方法の特徴は、支柱および前記支柱の上部にフランジを有する梁に型枠支持具を用いて支持部材を固定し、前記支持部材の上面に型枠を載置して形成したスラブの形成予定領域にコンクリートを打設し、前記コンクリートを固化させてスラブを形成するスラブ施工方法であって、前述の本発明に記載の型枠支持具を用いて、前記支持台の上面に載置された前記支持部材の上面の一部を前記フランジの下面に当接させながら、前記連結具の先端部分を前記フランジの孔に挿通させ、前記連結具における前記フランジの上面に突出した先端部分に前記被覆部材を着脱可能に取り付けることにより、前記支持台によって前記支持部材を前記フランジに圧接させるとともに前記圧接体を前記梁の一部分に圧接させて前記型枠支持具を前記梁に固定し、前記支持部材の上面の他部分に前記型枠を載置してスラブを形成した後に、前記型枠支持具における前記梁におけるフランジの下方に位置する各部材を前記梁におけるフランジの下方から取り外す点にある。
【００１８】
本発明に係る型枠支持具を用いたスラブ施工方法によれば、フランジの孔に挿通された連結具の先端部分に、フランジの上方から被覆部材を被覆させながら着脱可能に取り付けることによって、型枠支持具および支持部材を梁に固定させ、スラブを形成した後に、型枠支持具における梁におけるフランジの下方に配置されている支持台や連結具を梁から取り外して回収し、これらの各部材を再利用することができる。また、本発明に係る型枠支持具を用いたスラブ施工方法によれば、型枠支持具が梁に固定される際、圧接体を梁の一部に圧接させることにより、支持部材の上面に型枠が載置され、さらにはこの型枠によって形成されたスラブ形成予定領域にコンクリートを流し込まれた際に、上方から加えられる重さによって支持台が奥側にずれないように圧接体によって支持台を支持することができる。これにより、梁に対して安定して固定させることができ、この型枠支持具に支持されている支持部材を介して型枠を安定して支持することができる。さらに、本発明に係る型枠支持具を用いたスラブ施工方法によれば、梁の上から被覆部材を連結具の先端部分に取り付けることによって型枠支持具を梁に固定することができるので、型枠支持具の梁への取り付け作業の容易化を図ることができる。
【発明の効果】
【００１９】
以上述べたように、本発明に係る型枠支持具および型枠支持具を用いたスラブ施工方法によれば、コンクリートを、型枠支持具における梁におけるフランジの下方に配置される連結具や支持台に接触させることなくスラブ形成予定領域に打設することができるので、スラブの形成後に、フランジの下方に位置する各部材を取り外して回収することができ、これにより各部材を再利用することができる。また、圧接体を梁の一部に圧接させることにより、支持部材が載置される支持台が奥側にずれてしまうことを防止することができ、梁に対して安定して固定させることができ、これにより、型枠を安定して支持することができる。
【図面の簡単な説明】
【００２０】
【図１】本発明の一実施形態に係る型枠支持具のスラブ施工状態を示す側面図
【図２】図１の型枠支持具を示す正面図
【図３】図１の型枠支持具を示す底面図
【図４】図１の型枠支持具の変形例のスラブ施工状態を示す側面図
【図５】図４の型枠支持具を示す側面斜視図
【図６】図４の型枠支持具を示す正面図
【図７】本発明の他の実施形態に係る型枠支持具を示す側面図
【図８】図７の型枠支持具を示す側面斜視図
【発明を実施するための形態】
【００２１】
以下、本発明に係る型枠支持具の一実施形態を図１から図８を参照して説明する。
【００２２】
図１は、本実施形態に係る型枠支持具のスラブ施工状態を示す側面図、図２は、図１に示す型枠支持具の正面図、図３は、図１に示す型枠支持具の底面図である。
【００２３】
図１においては、本実施形態に係る型枠支持具１および支持部材としての角材Ｌを用い、支柱（ウェブ）Ｂ１および支柱Ｂ１に形成されたフランジＢ２を有する梁Ｂに対して型枠Ｄを架設した状態を示している。ここで、本実施形態においては、型枠支持具１を梁Ｂに取り付けた状態において、梁ＢにおけるフランジＢ２の突出した端縁側を手前側とし、支柱Ｂ１側を奥側として説明する。型枠Ｄとしては、建築物の床および屋根のスラブなどのコンクリート打設時に使用される板厚０．８〜１．６ｍｍ程度の薄鋼板製のデッキプレートを用いることができ、デッキプレートとしては、フラットデッキやスライドデッキ等が用いられる。フラットデッキは、仮設床面となるデッキ上面が平らなタイプのデッキプレートであり、スライドデッキは、２枚のプレートを一部重なるように組み合わせて長さを調節可能としたデッキプレートである。また、例えば型枠Ｄとしては、図示しないが、並列配置される複数の鋼材と、各鋼材の端部にそれぞれ取り付けられ、角材Ｌを介して鋼材を型枠支持具１に係止させる係止具と、各鋼材の上面に配置されるプレートを備えた型枠Ｄを用いてもよい。さらに、支持部材は、本実施形態においては枕木等の角材Ｌを用いているが、上面の一部分に型枠Ｄを載置可能な形状であって型枠Ｄを支持可能な剛性を有するものであればよい。さらに、梁Ｂは、Ｈ型鋼、Ｔ型鋼等の支柱Ｂ１にフランジＢ２が形成されたものであり、以下の本実施形態においては、Ｈ型鋼の支柱Ｂ１の上部に形成されたフランジＢ２に型枠支持具１を取り付ける場合を用いて説明する。
【００２４】
図１から図３に示すように、本実施形態に係る型枠支持具１は、角材Ｌの上面の一部がフランジＢ２の下面に圧接されるように角材Ｌを下から支持する支持台２を有している。本実施形態において支持台２は、図２および図３に示すように、支持台２を手前側から視認したときに横方向に隣位して連結された２つの平板状のプレート２ａにより構成されている。両プレート２ａの対向する側縁は下方に屈曲して形成されており、この下方に屈曲した部分を貼り合わせることにより連結されているとともに、この下方に屈曲して貼り合わせた部分は、両プレート２ａを下方から支持する補強体６とされている。また、両プレート２ａにおける手前側の端縁は、上方に屈曲して形成されて、角材Ｌの落下を防止するストッパ２ｂとされている。支持台２の上面に角材Ｌを載置して型枠支持具１を梁Ｂに取り付けた状態において、角材Ｌの上面における手前側の他部分には、型枠Ｄの一端部が載置されるようになっており、支持台２は、上面の他部分に型枠Ｄが載置された角材Ｌを介して、型枠Ｄを支持するようになっている。なお、角材Ｌの上面における他部分に型枠Ｄを載置するにあたり、型枠Ｄの上面と梁ＢにおけるフランジＢ２の上面とを面一とするために、図１に示すように型枠Ｄと角材Ｌとの間に高さ調整部材Ａを介装させてもよい。
【００２５】
さらに、両プレート２ａにおける補強体６が形成された側縁と反対側の側縁も、下方に屈曲されて補強部２ｃとされており、これにより支持台２の強度を向上させることができる。
【００２６】
また、支持台２における各ストッパ２ｂには、固定部材用孔２ｄがそれぞれ貫通して形成されている。そして、型枠支持具１においては、ストッパ２ｂの外面側から固定部材用孔２ｄを介して、釘などにより構成される固定部材Ｆが両プレート２ａ上に載置される角材Ｌに打ち込まれることにより、角材Ｌが両プレート２ａ上に固定されるようになっており、これにより角材Ｌが支持台２から落下してしまうことを防止するようになっている。なお、固定部材用孔２ｄが形成される位置や形状、数については、両プレート２ａ上に載置される角材Ｌに支持台２を介して固定部材Ｆを打ち込むことにより角材Ｌを支持台２に固定することが可能な位置であれば、本実施形態における固定部材用孔２ｄの形成位置、形状、数に限定されるものではなく、例えば、固定部材用孔２ｄを、ストッパ２ｂとプレート２ａとの境界部分に形成してもよい。
【００２７】
また、本実施形態に係る型枠支持具１は、フランジＢ２に形成された孔Ｂ３に挿通されて先端部分がフランジＢ２の上面側に突出するように梁Ｂに取り付けられてフランジＢ２に支持台２を支持するように連結する連結具３を有しており、この連結具３は、支持台２における奥側の端縁部分に着脱可能に取り付けられるようになっている。本実施形態において連結具３は、円柱部材３ａを有しており、円柱部材３ａの下端部には平板プレート３ｂが固着され、円柱部材３ａの上端部分には、雄ネジ３ｃが形成されている。図３に示すように、平板プレート３ｂは、径方向の外側に突出した３つの突出部３ｄが、周方向に等間隔に配置して形成されており、円柱部材３ａの下端部にボルトヘッド部３ｅを用いて着脱可能に固定されている。平板プレート３ｂのこのような形状により、平板プレート３ｂは、支持台２の下方から平面方向における外側に突出しないように配置可能な大きさに形成されている。これにより、複数の型枠支持具１を収納する際に、隣位して配置される各型枠支持具１の平板プレート３ｂがそれぞれぶつかってしまうことを防止することができ、コンパクトに収納して運ぶことができるようになっている。
【００２８】
支持台２における奥側の端縁部分には、連結具３が着脱可能に挿通される円筒状の保持体５が支持台２に貫通して配置され固着されている。保持体５における支持台２の下方における手前側側面は、補強体６の奥側端縁と固着されて連結されており、これにより補強体６は、支持台２を補強するとともに支持台２と保持体５との連結を補強するようになっている。これにより、本実施形態に係る型枠支持具１によれば、連結具３を支持台２に固着された保持体５に挿通させることによって、より安定して支持台２に取り付けることができるとともに、補強体６によって支持台２の強度および支持台２と保持体５との連結強度を向上させることができる。また、保持体５は、保持体５の下端縁が補強体６の下端縁よりも下方に位置するように配置されている。
【００２９】
連結具３は、支持台２の下側から保持体５に挿入されて支持台２に取り付けられるようになっており、円柱部材３ｅが保持体５の中で軸方向まわりに回転でき、上下方向にも移動可能となっている。また、連結具３の平板プレート３ｂによって保持体５を下から支持することにより、支持台２が連結具３から外れてしまうことを防止するようになっている。そして、平板プレート３ｂまたはボルトヘッド３ｅをもって円柱部材３ｅを回転させることにより、後述するように連結具３と支持台２との固定や固定の解除すなわち着脱ができるようになっている。さらに、連結具３は、その先端部分がフランジＢ２に貫通して形成された孔Ｂ３に挿通されてフランジＢ２の上面側に突出して配置されるようになっている。
【００３０】
円柱部材３ａにおける保持体５から露出した部分には、保持体５の内径寸法より大きい外形寸法のナット３ｆが雄ネジ３ｃに螺合して取り付けられており、このナット３ｆは、円柱部材３ａが保持体５から抜け落ちてしまうことを防止するようになっている。
【００３１】
連結具３におけるフランジＢ２の上面から突出した先端部分には、先端部分を被覆する被覆部材７が、先端部分に対して着脱可能に取り付けられるようになっている。本実施形態において被覆部材７は、高ナット７ａと、高ナット７ａの一方の開口端縁を封止する樹脂キャップ７ｂとにより構成されている。高ナット７ａの他方の開口端縁に、フランジＢ２の上面との間を封止する封止材７ｃが取り付けられている。そして、被覆部材７は、高ナット７ａを連結具３の雄ネジ３ｃに螺合させて、支持台２を持ち上げることにより、角材Ｌの上面の奥側の一部がフランジＢ２の下面に圧接されるようにしながら型枠支持具１を梁Ｂに固定するようになっている。また、本実施形態のように、被覆部材７における連結具３を介して梁Ｂに型枠支持具１を固定する部材として高ナット７ａを用いることにより、フランジＢ２の厚みが薄いために円柱部材３ａの雄ネジ３ｃの先端部におけるフランジＢ２の上面から露出する突出部分が長くなってしまう場合であっても、円柱部材３ａにおける雄ネジ３ｃの突出部分を高ナット７ａの高さ内に収容することによって完全に被覆することができ、フランジＢ２の厚みに対応することができるようになっている。なお、円柱部材３ａにおけるフランジＢ２の上面から露出する突出部分を保持して、連結具３を介して梁Ｂに型枠支持具１を固定することができるとともに、円柱部材３ａの突出部分を被覆することができる部材であれば、高ナット７ａに限定されるものではない。
【００３２】
支持台２の奥側には、角材ＬがフランジＢ２の下面に圧接された状態において梁Ｂの一部分（本実施形態においてはフランジＢ２の下面）に圧接されることにより支持台２を支持する圧接体８が設けられている。本実施形態において圧接体８は、対向して配置される一対の板状部材８ａを有し、両板状部材８ａの対向する一端縁が連結部材８ｂによって連結された平面視においてコ字状の部材により構成されている。圧接体８は、両板状部材８ａによって保持体５の奥側の側面を挟むように配置されて保持体５に固着されているとともに、支持台２に固着されることにより支持台２に固定して設けられている。また、圧接体８は、圧接体８の上端縁が保持体５の上端縁よりも上方に位置し、かつ角材ＬがフランジＢ２の下面に圧接された状態において、フランジＢ２の下面に圧接される長さに形成されている。さらに、圧接体８は、圧接体８の下端縁が保持体５の下端縁よりも上方に位置するように配置されている。そして、圧接体８は、その上端縁がフランジＢ２の下面に圧接されることにより、角材Ｌの上面に型枠Ｄが載置され、さらにはこの型枠Ｄによって形成されたスラブ形成予定領域Ｓにコンクリートを流し込んだ際に、上方から加えられる重さによって支持台２が奥側にずれないように（本実施形態においては、図１において孔Ｂ３を中心として時計回りに回転しないように）、支持台２を支持するようになっている。
【００３３】
そして、本実施形態の型枠支持具１は、円柱部材３ａの先端部分に対する被覆部材７の高ナット７ａとの螺合を緩める方向に平板プレート３ｂを回転させることにより、被覆部材７と円柱部材３ａとの螺合を緩めて被覆部材７から連結具３を取り外すことができるようになっている。このように、平板プレート３ｂは、前述のような支持台２を下方から支持して支持台２が連結具３から外れてしまうことを防止するための機能の他、連結具３を被覆部材７から取り外す際に連結具３を容易に回転させるためのハンドルとして機能するようになっている。さらに、レンチ等を用いてボルトヘッド部３ｅを介して円柱部材３ａの先端部分に対する被覆部材７の高ナット７ａとの螺合を緩める方向に円柱部材３ａを回転させることによっても、被覆部材７と円柱部材３ａとの螺合を緩めて被覆部材７から連結具３を取り外すことができるようになっている。
【００３４】
型枠支持具１を構成する支持台２、連結具３、保持体５、補強体６、被覆部材７の高ナット７ａ、圧接体８といった各部材は、ステンレス等の金属の他、剛性の高いプラスチックや木材等により構成することができる。
【００３５】
次に、本実施形態に係る型枠Ｄを用いたスラブの施工方法について説明する。
【００３６】
まず、型枠支持具１における支持台２の上面に載置された角材Ｌの上面の一部を、梁Ｂにおける上側のフランジＢ２の下面に当接させながら、連結具３の先端部分をフランジＢ２の孔Ｂ３に挿通させた状態に保持する。続いて、梁Ｂの上方から、連結具３におけるフランジＢ２の上面に突出した先端部分に被覆部材７の高ナット７ａを螺合させて、連結具３の先端部分に被覆部材７を緊締する。これにより、支持台２の上面とフランジＢ２の下面とに挟持されている角材Ｌの上面の奥側の一部をフランジＢ２の下面に圧接させるとともに、圧接体８の上端縁をフランジＢ２の下面に圧接させながら、型枠支持具１を梁Ｂに固定する。このとき、被覆部材７とフランジＢ２との間に封止材７ｃが介装されることとなる。このとき、支持台２におけるストッパ２ｂの外面側から固定部材用孔２ｄを介して角材Ｌに固定部材Ｆを打ち込むことにより、角材Ｌを支持台２の上面に固定する。
【００３７】
続いて、対面する一対の梁Ｂにそれぞれ取り付けられた型枠支持具１によってそれぞれ支持されている一対の角材Ｌの上面における手前側の他部分に、型枠Ｄの両端縁をそれぞれ載置することにより、一対の梁Ｂ間に型枠Ｄを掛け渡し、多数の型枠Ｄによってスラブの形成予定領域を形成する。そして、スラブの形成予定領域にコンクリートを打設して、乾燥・固化させることにより、スラブを形成する。
【００３８】
コンクリートの乾燥・固化後、梁Ｂの下方から連結具３の先端部分に対する被覆部材７の高ナット７ａとの螺合を緩める方向に連結具３の平板プレート３ｂを回転させ、被覆部材７と連結具３との螺合を緩めて被覆部材７から連結具３を取り外す。これにより、角材ＬとフランジＢ２との圧接状態を解除するとともに、圧接体８とフランジＢ２との圧接状態を解除して、型枠支持具１における被覆部材７を除く梁ＢにおけるフランジＢ２の下方に配置された各部材を梁Ｂから取り外すとともに、型枠Ｄおよび角材Ｌをスラブから分離して取り外して回収する。取り外して回収した型枠支持具１における各部材や型枠Ｄおよび角材Ｌは、他の現場において再利用される。
【００３９】
このように、本実施形態に係る型枠支持具１によれば、フランジＢ２の孔Ｂ３に挿通された連結具３の先端部分に、フランジＢ２の上方から被覆部材７を被覆させながら着脱可能に取り付けることによって、型枠支持具１および角材Ｌが梁Ｂに固定され、コンクリートを、型枠支持具１における連結具３や支持台２に接触させることなくスラブ形成予定領域Ｓに打設することができる。このため、スラブを形成し、コンクリートが乾燥・固化した後には、連結具３を被覆部材７から取り外すことにより、型枠支持具１における梁ＢにおけるフランジＢ２の下方に配置されている支持台２や連結具３を梁Ｂから取り外して回収し、型枠Ｄおよび角材Ｌと同様に型枠支持具１の各部材を再利用することができる。また、被覆部材７とフランジＢ２との間に封止材を介装させることにより、打設されたコンクリートが被覆部材７とフランジＢ２との間を介して連結具３側に流れ込むことを確実に防止することができ、コンクリートの乾燥・固化後に、連結具３を確実に被覆部材７から取り外して回収することができる。
【００４０】
また、本実施形態に係る型枠支持具１によれば、型枠支持具１が梁Ｂに固定される際、圧接体８の上端縁がフランジＢ２の下面に圧接される。このため、角材Ｌの上面に型枠Ｄが載置され、さらにはこの型枠Ｄによって形成されたスラブ形成予定領域Ｓにコンクリートが流し込まれた際に、上方から加えられる重さによって支持台２が奥側にずれないように、支持台２を支持することができるので、安定して梁Ｂに固定させることができる。これにより、本実施形態に係る型枠支持具１によれば、安定して角材Ｌを介して型枠Ｄを支持することができる。また、このように圧接体８の上端縁がフランジＢ２の下面に圧接されるタイプの型枠支持具１は、同一寸法の型枠支持具１をフランジＢ２の支柱Ｂ１からの突出長さ寸法が異なる各梁Ｂに同様にして取り付けることが可能である。
【００４１】
また、本実施形態に係る型枠支持具１によれば、梁Ｂの上から被覆部材７を連結具３の先端部分に取り付けることによって型枠支持具１を梁Ｂに固定することができるので、型枠支持具１の梁Ｂへの取り付け作業の容易化を図ることができる。
【００４２】
また、本実施形態に係る型枠支持具１は、支持台２における奥側の端縁部分に、連結具３が着脱可能に挿通される円筒状の保持体５が支持台２に貫通して固着され、さらに支持台２の下側に、支持台２自体および支持台２と保持体５との連結を補強する板状の補強体６が設けられ、補強体６の上端縁が支持台２の下面に固着されているとともに、奥側端縁を保持体５の側面に固着されている。このため、型枠支持具１は、連結具３を支持台２に固着された保持体５に挿通させることによってより安定して支持台２に取り付けることができるとともに、補強体６によって支持台２の強度および支持台２と保持体５との連結強度を向上させることができる。これにより本実施形態に係る型枠支持具１によれば、より安定して角材Ｌを介して型枠Ｄを支持することができる。また、保持体５によって連結具３を保持することにより、角材Ｌが直接連結具３に当接してしまうことを防止して、連結具３を保護することができる。さらに、保持体５を、保持体５の下端縁が補強体６および圧接体８の下端縁よりも下方に位置するように配置することにより、平板プレート３ｂを回転させる際などに、平板プレート３ｂが圧接体８や補強体６にぶつかってしまうことを防止することができる。
【００４３】
図４から図６は、前述の第１の実施形態における型枠支持具１のような圧接体８が梁ＢのフランジＢ２における下面に圧接されることにより支持台２を支持するタイプの型枠支持具１における他の例を示している。
【００４４】
図４から図６の第１実施形態の他の例に示すように、第１の実施形態における型枠支持具１において、支持台２を、上面に角材Ｌが載置される平板状の１枚のプレート２ａにより構成してもよい。このような構成により、支持台２の構成部材の数を減らしたり、支持台２の製造工程を少なくすることができ、型枠支持具１の製造コストの低廉化を図ることができる。また、支持台２および圧接体８が、角材Ｌを介して型枠Ｄやスラブを支持するのに十分な強度を有するものであれば、支持台２に補強部２ｃを形成しなくてもよい。このような構成により、支持台２の製造工程を少なくすることができ、型枠支持具１の製造コストの低廉化を図ることができるとともに、型枠支持具１の軽量化を図ることができる。さらに、このように支持台２を１枚のプレート２ａによって構成する場合には、支持台２の下側に、支持台２自体および支持台２と保持体５との連結を補強する板状の補強体６を、その上端縁を支持台２の下面に固着し、奥側端縁を保持体５の側面に固着して連結して設けてもよい。
【００４５】
また、連結具３の平板プレート３ｂは、前述の第１の実施形態のような形状に限定されるものではなく、例えば、略十字形の平板プレート３ｂにより構成してもよい。さらに、連結具３が保持体５から抜け落ちてしまうことを防止するために円柱部材３ａに取り付けられるナット３ｆを省略することにより、型枠支持具１の軽量化を図ることができる。さらにまた、高ナット７ａを円柱部材３ａの先端部に螺合させることにより、被覆部材７とフランジＢ２との間を密封することができれば、封止材７ｃを省略することもできる。
【００４６】
続いて、本発明に係る型枠支持具１の第２の実施形態について、図７および図８を用いて説明する。図７および図８は、本発明に係る型枠支持具１の第２の実施形態を示す側面斜視図および側面図であり、支持台２を構成する両プレート２ａはそれぞれ連結具３の取り付け位置よりも奥側に延設されており、この両プレート２ａが奥側に延設された部分が、支持台２に載置された角材ＬがフランジＢ２に圧接された状態において梁Ｂの支柱Ｂ１の側面に圧接される圧接体８とされている。これにより、圧接体８は、支持台２と一体形成されることにより支持台２に固定して設けられている。
【００４７】
第２の実施形態に係る型枠支持具１を用いたスラブ施行方法は、第１の実施形態におけるスラブ施行方法とほぼ同様であり、角材Ｌの上面の奥側の一部をフランジＢ２の下面に圧接させるとともに、圧接体８の奥側端縁を梁Ｂにおける支柱Ｂ１の側面に圧接させながら、連結具３に被覆部材７を緊締することにより型枠支持具１を梁Ｂに固定し、一対の梁Ｂの角材Ｌ間に型枠Ｄを掛け渡し、スラブの形成予定領域にコンクリートを打設して、乾燥・固化させることによりスラブを形成する。そして、コンクリートの乾燥・固化後に、第１の実施形態と同様にして梁Ｂから型枠支持具１における梁ＢにおけるフランジＢ２の下方に配置された各部材並びに型枠Ｄおよび角材Ｌを取り外して回収する。
【００４８】
第２の実施形態に係る型枠支持具１によれば、第１の実施形態と同様に、コンクリートを、型枠支持具１における連結具３や支持台２に接触させることなくスラブ形成予定領域Ｓに打設することができるので、スラブ施工し、コンクリートが乾燥・固化した後に、連結具３を被覆部材７から取り外すことにより、型枠支持具１における梁ＢにおけるフランジＢ２の下方に配置されている支持台２や連結具３を梁Ｂから取り外して回収して、型枠支持具１の各部材を再利用することができる。
【００４９】
また、第２の実施形態に係る型枠支持具１によれば、型枠支持具１が梁Ｂに固定される際、圧接体８の奥側端縁が、型枠支持具１の奥側に位置する支柱Ｂ１の側面に圧接される。このため、角材Ｌの上面に型枠Ｄが載置され、さらにはこの型枠Ｄによって形成されたスラブ形成予定領域Ｓにコンクリートを流し込まれた際に、上方から加えられる重さによって支持台２が奥側にずれることをより確実に防止することができ、安定して支持台２を支持し、梁Ｂに固定させることができる。なお、このように圧接体８の奥側端縁が梁Ｂにおける支柱Ｂ１の側面に圧接されるタイプの型枠支持具１は、圧接体８の連結具３から奥側への延出長さ寸法をフランジＢ２の支柱Ｂ１からの突出長さ寸法に応じて形成することが必要となる。
【００５０】
なお、本発明は前記各実施形態に限定されるものではなく、必要に応じて種々変更することが可能である。
【００５１】
例えば、圧接体８は、第１の実施形態においては支持台２に固着されることにより支持台２に固定して設けられ、第２の実施形態においては支持台２と一体に形成されることにより支持台２に固定して設けられているが、本発明はこれに限定されるものではなく、型枠支持具１が梁Ｂに取り付けられて圧接体８が支持台２を支持する際に、支持台２に固定して設けられていればよい。特に、第２の実施形態のように圧接体８の奥側端縁が梁Ｂにおける支柱Ｂ１の側面に圧接されるタイプの型枠支持具１においては、圧接体８の支柱Ｂ１までの長さ寸法をフランジＢ２の支柱Ｂ１からの突出長さ寸法に対応させるために、圧接体８の長さ寸法を調節可能に圧接体８を支持台２に取り付け、型枠支持具１が梁Ｂに取り付けられて支持台２が支持部材を支持する際に支持台２に固定して設けられるようにしてもよい。さらに、圧接体８の長さ寸法の調節は、圧接体８を支持台２と別体とし、予め長さ寸法の異なる圧接体８を数種類用意しておき、施工時に梁Ｂの寸法に合わせて適切なものを選択し支持台２と組み合わせることでも可能である。
【符号の説明】
【００５２】
１  型枠支持具
２  支持台
２ａ  プレート
２ｂ  ストッパ
２ｃ  補強部
３  連結具
３ａ  円柱部材
３ｂ  平板プレート
３ｃ  雄ネジ
３ｄ  突出部
３ｅ  ボルトヘッド部
３ｆ  ナット
５  保持体
６  補強体
７  被覆部材
７ａ  高ナット
７ｂ  樹脂キャップ
７ｃ  封止材
８  圧接体
８ａ  板状部材
８ｂ  連結部材
Ｌ  角材
Ｂ  梁
Ｂ１  支柱
Ｂ２  フランジ
Ｂ３  孔
Ｄ  型枠
Ａ  高さ調整部材
Ｓ  スラブ形成予定領域
【図１】
0006532770.tif 000002
【図２】
0006532770.tif 000003
【図３】
0006532770.tif 000004
【図４】
0006532770.tif 000005
【図５】
0006532770.tif 000006
【図６】
0006532770.tif 000007
【図７】
0006532770.tif 000008
【図８】
0006532770.tif 000009